(57)【要約】 【課題】  容器に収容した液体の品質を確実に保持することができると共に、液体の使用時には容器外に容易に流出させることができる容器の保存用蓋を提供する。【解決手段】  容器口部５２の外周に装着され端部が蓋体により密閉可能な直筒状の装着部１０と、容器口部５２と同心状になるように装着部１０に支持され容器５０の底部近傍まで延びる導入管２０と、導入管２０を被覆する袋状体３０とを備え、導入管２０は、装着部１０の側方に突出する閉止可能な吹込部２４を有し、吹込部２４から吹き込まれた流体を袋状体３０の内部に導入して膨張させるように設けられており、袋状体３０は、容器５０の起立状態で膨張させると液体に浸漬された部分が液面を上昇させる。【選択図】  図１
2013056685.tif 000002
【特許請求の範囲】
【請求項１】
容器内に収容された液体の品質を保持するための保存用蓋であって、
容器の口部外周に装着され、端部が蓋体により密閉可能な直筒状の装着部と、
容器の口部と同心状になるように前記装着部に支持され容器の底部近傍まで延びる導入管と、
前記導入管を被覆する袋状体とを備え、
前記導入管は、前記装着部の側方に突出する閉止可能な吹込部を有し、前記吹込部から吹き込まれた流体を前記袋状体の内部に導入して膨張させるように設けられており、
前記袋状体は、容器の起立状態で膨張させると、液体に浸漬された部分が液面を上昇させるように構成されている容器の保存用蓋。
【請求項２】
前記蓋体は、容器を密閉可能な栓である請求項１に記載の容器の保存用蓋。
【請求項３】
請求項１または２に記載の容器の保存用蓋を用いた液体の保存方法であって、
液体を収容した容器の口部外周に前記装着部を装着するステップと、
前記吹込部から前記袋状体の内部に流体を導入して液面を前記装着部の近傍まで上昇させた後、前記吹込部を閉止するステップと、
前記装着部を前記蓋体により密閉するステップとを備える液体の保存方法。
【発明の詳細な説明】
【技術分野】
【０００１】
本発明は、容器の保存用蓋およびこれを用いた液体の保存方法に関する。
【背景技術】
【０００２】
ペットボトルやびん等の容器に収容された醤油、日本酒、ワイン、炭酸飲料等の液体は、開封後に再び栓をして密閉しても、容器内に空気が残留することで酸化の進行や成分の放出が生じ、品質が劣化するおそれがある。そこで、収容された液体の酸化等を防止することができる容器の構造が従来から検討されている。
【０００３】
例えば、特許文献１や特許文献２に開示された容器は、内部に配置して息を吹き込むことができる袋状体を備えており、袋状体を膨張させて容器の内周面に密着させることにより、容器内の空気と液体とを遮断するように構成されている。
【０００４】
また、特許文献３に開示された容器も、内部に配置される袋状体を備えている。この袋状体は、液体の流出に伴い外部から容器内に取り入れられた空気が内部に収容されることで、容器内の液体と空気との接触を防止している。
【先行技術文献】
【特許文献】
【０００５】
【特許文献１】特開２００６−３６２７７号公報
【特許文献２】実開平１−１４１２４３号公報
【特許文献３】特開平２−５７５６７号公報
【発明の概要】
【発明が解決しようとする課題】
【０００６】
ところが、上記特許文献１および２に開示された容器は、液面の上方で袋状体を膨張させて容器の内周面に密着させる必要があることから、容器の形状や液面の高さ位置によっては、袋状体によって液体と空気とを確実に遮断することが困難であるという問題があった。また、袋状体に空気を導入する導入管が容器口部の開口を狭めることから、液体が流出し難くなるという問題もあった。
【０００７】
また、特許文献３に開示された容器は、袋状体の内部に空気を強制的に吹き込む構成でないため袋状体の膨張が不十分になり易く、袋状体の外部における空気と液体との接触が避けられず、液体の流出も困難であった。
【０００８】
そこで、本発明は、容器に収容した液体の品質を確実に保持することができると共に、液体の使用時には容器外に容易に流出させることができる容器の保存用蓋の提供を目的とし、更に、これを用いた液体の保存方法の提供を目的とする。
【課題を解決するための手段】
【０００９】
本発明の前記目的は、容器内に収容された液体の品質を保持するための保存用蓋であって、容器の口部外周に装着され、端部が蓋体により密閉可能な直筒状の装着部と、容器の口部と同心状になるように前記装着部に支持され容器の底部近傍まで延びる導入管と、前記導入管を被覆する袋状体とを備え、前記導入管は、前記装着部の側方に突出する閉止可能な吹込部を有し、前記吹込部から吹き込まれた流体を前記袋状体の内部に導入して膨張させるように設けられており、前記袋状体は、容器の起立状態で膨張させると、液体に浸漬された部分が液面を上昇させるように構成されている容器の保存用蓋により達成される。
【００１０】
また、本発明の前記目的は、上述した容器の保存用蓋を用いた液体の保存方法であって、液体を収容した容器の口部外周に前記装着部を装着するステップと、前記吹込部から前記袋状体の内部に流体を導入して液面を前記装着部の近傍まで上昇させた後、前記吹込部を閉止するステップと、前記装着部を前記蓋体により密閉するステップとを備える液体の保存方法により達成される。
【発明の効果】
【００１１】
本発明によれば、容器に収容した液体の品質を確実に保持することができると共に、液体の使用時には容器外に容易に流出させることができる容器の保存用蓋を提供することができ、更に、これを用いた液体の保存方法を提供することができる。
【図面の簡単な説明】
【００１２】
【図１】本発明の一実施形態に係る容器の保存用蓋の断面図である。
【図２】図１に示す容器の保存用蓋を用いた液体保存方法を説明するための断面図である。
【図３】上記の液体保存方法の変形例を説明するための断面図である。
【発明を実施するための形態】
【００１３】
以下、本発明の実施の形態について、添付図面を参照して説明する。図１は、本発明の一実施形態に係る容器の保存用蓋の断面図である。図１に示すように、保存用蓋１は、容器５０の口部に装着される装着部１０と、装着部１０に支持されて容器５０の内部に延びる導入管２０と、導入管２０を被覆する袋状体３０とを備えている。容器５０は、本実施形態では調味料や飲料等の液体が収容されるペットボトルであり、口部５２の外周にはキャップ（栓）が螺合されるねじ部５４が形成されている。
【００１４】
装着部１０は、樹脂等の材料により中空の直筒状に形成されており、一端側の内周面には、容器５０のねじ部５４に螺合するねじ部１２が形成されている。装着部１０の他端側の外周面には、密閉可能な蓋体（図示せず）が螺合されるねじ部１４が形成されており、他端側の開口が液体を流出させるための流出口１６とされている。
【００１５】
導入管２０は、直管状の本体部２２と、本体部２２の端部から湾曲する吹込部２４とを備えており、吹込部２４が装着部１０の側壁を貫通して側方に突出するように、装着部１０に固定されている。本体部２２は、外周全体が装着部１０の内周面との間に略均一な隙間を形成するように配置されており、容器５０の口部５２と同心状になるように、装着部１０に支持されている。本体部２２は、装着部１０が装着される容器５０の底部近傍に到達する程度の長さを有しており、開口した先端部から袋状体３０の内部に気体や液体等の流体を導入する。
【００１６】
吹込部２４は、樹脂製の薄肉管やゴム管等からなる可撓管２４ａが端部に装着されており、可撓管２４ａに結び目を形成したり、折り曲げてクリップ等で挟持することで、吹込部２４の流路を閉止可能とされている。吹込部２４は、可撓管２４ａを備える代わりに、介在させた手動バルブの操作により流路を閉止するように構成してもよい。
【００１７】
袋状体３０は、樹脂フィルム等により変形自在に形成されており、装着部１０から露出する導入管２０の大部分を覆うように、開口部３２が導入管２０の外周面に気密に接着されている。導入管２０の先端開口と袋状体３０の底部３４との間には、気体の流通を確保できる程度に若干の隙間が形成されている。袋状体３０の形状や大きさは、最大膨張時に容器５０の内周面の略全体と接触するように、容器５０の形状や大きさに合わせて適宜設定することが好ましい。
【００１８】
次に、上記の構成を備える保存用蓋１を用いて液体を保存する方法を、図２を参照しながら説明する。開封後の容器５０内に液体が残存する場合、まず、図２（ａ）に示すように、収縮状態にある袋状体３０を、導入管２０の本体部２２と共に口部５２から容器５０の内部に挿入し、装着部１０のねじ部１２を口部５２のねじ部５４に螺合する。これにより、装着部１０が容器５０の口部５２の外周に装着されて、導入管２０の先端位置が容器５０の底部５６の近傍に固定され、袋状体３０の底部３４側が、容器５０内の液体Ｌに浸漬した状態になる。
【００１９】
ついで、容器５０を起立させた状態で、吹込部２４から息を吹き込む等して袋状体３０の内部に気体を強制的に導入し、袋状体３０を膨張させる。袋状体３０は、液体Ｌに浸漬されていない上部がまず膨張し、容器５０の内周面に密着した後、図２（ｂ）に示すように、液体Ｌに浸漬された部分が膨張を開始する。これにより、容器５０の内周面と袋状体３０の外周面との間に形成される僅かな隙間を、液体Ｌが上昇する。
【００２０】
袋状体３０への気体の導入を更に続けると液体Ｌが更に上昇して、図２（ｃ）に示すように、液面Ｓが装着部１０の近傍まで到達する。この後、吹込部２４の可撓管２４ａを折り曲げてクリップ６０等で挟持することにより、袋状体３０の膨張状態を維持する。最後に、装着部１０のねじ部１４に蓋体１８を螺着することにより、容器５０内の液面Ｓの高さが維持された状態で、流出口１６が密閉される。
【００２１】
本実施形態の保存用蓋１によれば、袋状体３０の液体Ｌに浸漬された部分が膨張することにより、液体Ｌの液面Ｓが上昇して容器５０内に存在する空気が押し上げられるので、従来のように液面Ｓの上方で袋状体３０を膨張させる構成と比較して、容器５０内の空気を流出口１６から確実に排出することができる。したがって、蓋体１８を閉じた後の液体Ｌの酸化や成分放出を抑制することができ、保存する液体Ｌの品質を良好に維持することができる。液面Ｓの高さ位置は、液体Ｌが容器５０から溢れない程度でなるべく高い位置であることが好ましく、本実施形態では装着部１０の内部としているが、装着部１０の近傍であれば、必ずしも装着部１０の内部まで到達しなくてもよい。
【００２２】
また、導入管２０の本体部２２が、容器５０の口部５２と同心状になるように配置されているので、容器５０の内部において袋状体３０を均一に膨張させることができる。したがって、液面Ｓの高さを所望の位置に調整することが容易であり、作業性を高めることができる。
【００２３】
保存した液体Ｌの使用時には、吹込部２４のクリップ６０を取り外して流路を開放することにより、袋状体３０に導入されていた気体の一部が自然に放出され、液面Ｓが降下する。そして、通常の場合と同様に、容器５０を傾けて液体Ｌを装着部１０の流出口１６から流出させる。装着部１０は口部５２の外周側に装着されると共に、導入管２０は吹込部２４が装着部１０の側方に突出するように支持されているので、容器５０の口部５２の流路面積と同程度の装着部１０の流路面積を、容易に確保することができる。したがって、保存用蓋１を容器５０に装着したまま液体Ｌをスムーズに流出させることができ、液体Ｌを使用する度に保存用蓋１を着脱する煩雑さを解消することができる。
【００２４】
装着部１０を密閉する蓋体１８は特に限定されないが、容器５０の口部５２に螺合するキャップ（栓）を装着部１０に装着できるように、装着部１０のねじ部１４が形成されていることが好ましい。この場合、容器５０を開封したキャップをそのまま蓋体１８として使用することができて便利である。
【００２５】
また、容器５０は、装着部１０を外周に装着可能な口部５２を有するものであれば特に限定されず、本実施形態のペットボトル以外に、例えば、一升瓶やワインボトル等のビンであってもよい。この場合、装着部１０をビンの口部に外嵌できるように、ゴム等の弾性材料で装着部１０を形成し、ビンの口部を密閉可能なゴム栓やコルク栓等を装着部１０の蓋体１８とすることで、本実施形態と同様の効果を奏することができる。容器５０は、液面Ｓの高さを目視で容易に確認できるように、透明または半透明の材料から形成されていることが好ましい。
【００２６】
また、袋状体３０に吹き込む流体は、上述した気体以外に液体であってもよい。この場合、図３（ａ）に示すように、袋状体３０の膨張が底部３４側から開始され、袋状体３０は、液体Ｌに浸漬された部分から容器５０の内周面に接触し、液体Ｌの液面Ｓが上昇する。袋状体３０への気体の導入を更に続けると、図３（ｂ）に示すように、袋状体３０が容器５０の内周面と接触する部分が下部から上部に向けて拡がり、液面Ｓが更に上昇する。このように、袋状体３０へ吹き込む流体を液体とすることで、液面Ｓの上昇が緩やかなものとなり、装着部１０の近傍への液面Ｓの高さ調整を容易に行うことができる。
【符号の説明】
【００２７】
１  保存用蓋
１０  装着部
２０  導入管
２２  本体部
２４  吹込部
３０  袋状体
５０  容器
５２  口部
【図１】
2013056685.tif 000003
【図２】
2013056685.tif 000004
【図３】
2013056685.tif 000005
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
容器内に収容された液体の品質を保持するための保存用蓋を用いた液体の保存方法であって、
前記保存用蓋は、
容器の口部外周に装着され、端部が蓋体により密閉可能な直筒状の装着部と、
容器の口部と同心状になるように前記装着部に支持され容器の底部近傍まで延びる導入管と、
前記導入管を被覆する袋状体とを備え、
前記導入管は、前記装着部の側方に突出する閉止可能な吹込部を有し、前記吹込部から吹き込まれた流体を前記袋状体の内部に導入して膨張させるように設けられており、
液体を収容した容器の口部外周に前記装着部を装着するステップと、
前記吹込部から前記袋状体の内部に液体からなる流体を導入して、前記袋状体が前記容器の内周面と接触する部分を下部から上部に向けて拡げることにより前記容器内の液面を前記装着部の近傍まで上昇させた後、前記吹込部を閉止するステップと、
前記装着部を前記蓋体により密閉するステップと、
液体の使用時において、前記容器を傾けて前記装着部の端部から液体を流出可能となるように前記吸込部を開放して前記袋状体の内部の流体を放出し、前記容器内の液面を降下させるステップとを備える液体の保存方法。
【請求項２】
前記蓋体は、容器を密閉可能な栓である請求項１に記載の液体の保存方法。
【手続補正３】
【補正対象書類名】明細書
【補正対象項目名】０００１
【補正方法】変更
【補正の内容】
【０００１】
本発明は、容器の保存用蓋を用いた液体の保存方法に関する。
【手続補正４】
【補正対象書類名】明細書
【補正対象項目名】０００８
【補正方法】変更
【補正の内容】
【０００８】
そこで、本発明は、容器に収容した液体の品質を確実に保持することができると共に、液体の使用時には容器外に容易に流出させることができる容器の保存用蓋を用いた液体の保存方法の提供を目的とする。
【手続補正５】
【補正対象書類名】明細書
【補正対象項目名】０００９
【補正方法】変更
【補正の内容】
【０００９】
本発明の前記目的は、容器内に収容された液体の品質を保持するための保存用蓋を用いた液体の保存方法であって、前記保存用蓋は、容器の口部外周に装着され、端部が蓋体により密閉可能な直筒状の装着部と、容器の口部と同心状になるように前記装着部に支持され容器の底部近傍まで延びる導入管と、前記導入管を被覆する袋状体とを備え、前記導入管は、前記装着部の側方に突出する閉止可能な吹込部を有し、前記吹込部から吹き込まれた流体を前記袋状体の内部に導入して膨張させるように設けられており、液体を収容した容器の口部外周に前記装着部を装着するステップと、前記吹込部から前記袋状体の内部に液体からなる流体を導入して、前記袋状体が前記容器の内周面と接触する部分を下部から上部に向けて拡げることにより前記容器内の液面を前記装着部の近傍まで上昇させた後、前記吹込部を閉止するステップと、前記装着部を前記蓋体により密閉するステップと、液体の使用時において、前記容器を傾けて前記装着部の端部から液体を流出可能となるように前記吸込部を開放して前記袋状体の内部の流体を放出し、前記容器内の液面を降下させるステップとを備える液体の保存方法により達成される。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明によれば、容器に収容した液体の品質を確実に保持することができると共に、液体の使用時には容器外に容易に流出させることができる容器の保存用蓋を用いた液体の保存方法を提供することができる。